【手続補正書】
【提出日】平成27年3月10日(2015.3.10)
【手続補正１】
【補正対象書類名】特許請求の範囲
【補正対象項目名】全文
【補正方法】変更
【補正の内容】
【特許請求の範囲】
【請求項１】
光学系を介して結像された被写体光学像を、複数の画素データを含む映像信号に変換する撮像素子と、
前記撮像素子により得られた映像信号の各色画素データの高周波成分を抽出し、前記抽出した高周波成分からピーキング情報を生成する生成手段と、
前記撮像素子により得られた映像信号の画素数を変換する変換手段と、
前記ピーキング情報を、前記変換手段により画素数を変換した映像信号に反映する処理手段とを備えることを特徴とする撮像装置。
【請求項２】
前記生成手段は、前記抽出した各色画素データの高周波成分に対して領域毎に比較及び演算のうち少なくともいずれかを実行してピーキング情報を生成することを特徴とする請求項１に記載の撮像装置。
【請求項３】
前記撮像素子はＢａｙｅｒ配列であり、
前記生成手段は、Ｂａｙｅｒ単位で高周波成分の大小を比較して、最も大きいものをピーキング情報として出力することを特徴とする請求項２に記載の撮像装置。
【請求項４】
前記撮像素子はＢａｙｅｒ配列であり、
前記生成手段は、Ｂａｙｅｒ単位でＧｒ、Ｇｂの２画素の高周波成分の大小を比較して、最も大きい高周波成分をピーキング情報として出力することを特徴とする請求項２に記載の撮像装置。
【請求項５】
前記撮像素子はＢａｙｅｒ配列であり、
前記生成手段は、Ｂａｙｅｒ単位で４画素の高周波成分を所定の割合で加算して得られた結果をピーキング情報として出力することを特徴とする請求項２に記載の撮像装置。
【請求項６】
前記所定の割合はＲ：Ｇｒ：Ｇｂ：Ｂを３：３：３：１とすることを特徴とする請求項５に記載の撮像装置。
【請求項７】
前記撮像素子はＲ、Ｇｒ、Ｇｂ、Ｂが並べられたＢａｙｅｒ配列であり、
前記生成手段は、Ｂａｙｅｒ単位でＧｒ、Ｇｂの２画素の高周波成分を加算して、その加算した高周波成分をピーキング情報として出力することを特徴とする請求項２に記載の撮像装置。
【請求項８】
前記撮像素子はＲ、Ｇｒ、Ｇｂ、Ｂが並べられたＢａｙｅｒ配列であり、
前記生成手段は、Ｂａｙｅｒ単位でＲ、Ｇｒ、Ｇｂ、Ｂの４画素のうち、ＧｒとＧｂの高周波成分を加算し、かつＲとＢの高周波成分を加算し、その大小を比較して、大きいものをピーキング情報として出力することを特徴とする請求項２に記載の撮像装置。
【請求項９】
前記処理手段は、前記ピーキング情報を、前記変換手段により画素数を変換した映像信号の輝度信号に反映することを特徴とする請求項１乃至８の何れか１項に記載の撮像装置。
【請求項１０】
前記変換手段は、前記撮像素子により得られた映像信号の画素数を減らし、
前記生成手段は、前記変換手段により変換された映像信号の画素数と同じ数のピーキング情報を生成することを特徴とする請求項１乃至９の何れか１項に記載の撮像装置。
【請求項１１】
前記生成手段は、前記抽出された各色画素データの高周波成分を領域毎に比較して、前記ピーキング情報を領域毎に生成することを特徴とする請求項１乃至１０の何れか１項に記載の撮像装置。
【請求項１２】
前記生成手段は、前記抽出された各色画素データの高周波成分の大小を領域毎に比較して、最も大きいものをピーキング情報として出力することを特徴とする請求項１乃至１１の何れか１項に記載の撮像装置。
【請求項１３】
前記生成手段は、Ｂａｙｅｒ単位でＲ、Ｇｒ、Ｇｂ、Ｂの４画素の高周波成分の大小を比較することを特徴とする請求項１乃至１２の何れか１項に記載の撮像装置。
【請求項１４】
前記処理手段により処理された映像信号を表示する表示手段と、
前記撮像素子により得られた映像信号を記録する記録手段とをさらに備えることを特徴とする請求項１乃至１３の何れか１項に記載の撮像装置。
【請求項１５】
前記記録手段は、前記撮像素子により得られ前記変換手段で画素数が変換されていない映像信号を記録することを特徴とする請求項１４に記載の撮像装置。
【請求項１６】
前記変換手段は、前記撮像素子により得られた映像信号の色空間を変換することを特徴とする請求項１乃至１５の何れか１項に記載の撮像装置。
【請求項１７】
前記撮像素子はＢａｙｅｒ配列であり、
前記変換手段は、前記撮像素子により得られたＲ、Ｇ、Ｂの映像信号を輝度信号と色差信号に変換し、
前記処理手段は、前記輝度信号に前記ピーキング情報を反映させることを特徴とする請求項１乃至１６の何れか１項に記載の撮像装置。
【請求項１８】
光学系を介して結像された被写体光学像を、複数の画素データを含む映像信号に変換する撮像素子と、
前記撮像素子により得られた映像信号の各色画素データの高周波成分を抽出し、前記抽出した高周波成分からピーキング情報を生成する生成手段と、
前記撮像素子により得られた映像信号を現像する現像手段と、
前記ピーキング情報を、前記現像手段により現像された映像信号に反映する処理手段とを備えることを特徴とする撮像装置。
【請求項１９】
前記現像手段による現像は、色空間の変換を含むことを特徴とする請求項１８に記載の撮像装置。
【請求項２０】
光学系を介して結像された被写体光学像を、複数の画素データを含む映像信号に変換する撮像素子、を備えた撮像装置の制御方法であって、
前記撮像素子により得られた映像信号の各色画素データの高周波成分を抽出し、前記抽出した高周波成分からピーキング情報を生成するステップと、
前記撮像素子により得られた映像信号の画素数を変換するステップと、
前記ピーキング情報を、前記画素数を変換した映像信号に反映するステップとを有することを特徴とする撮像装置の制御方法。
【請求項２１】
光学系を介して結像された被写体光学像を、複数の画素データを含む映像信号に変換する撮像素子、を備えた撮像装置を制御するためのプログラムであって、
前記撮像素子により得られた映像信号の各色画素データの高周波成分を抽出し、前記抽出した高周波成分からピーキング情報を生成する処理と、
前記撮像素子により得られた映像信号の画素数を変換する処理と、
前記ピーキング情報を、前記画素数を変換した映像信号に反映する処理とをコンピュータに実行させるためのプログラム。
【請求項２２】
光学系を介して結像された被写体光学像を、複数の画素データを含む映像信号に変換する撮像素子、を備えた撮像装置の制御方法であって、
前記撮像素子により得られた映像信号の各色画素データの高周波成分を抽出し、前記抽出した高周波成分からピーキング情報を生成するステップと、
前記撮像素子により得られた映像信号を現像するステップと、
前記ピーキング情報を、前記現像された映像信号に反映するステップとを備えることを特徴とする撮像装置の制御方法。
【請求項２３】
光学系を介して結像された被写体光学像を、複数の画素データを含む映像信号に変換する撮像素子、を備えた撮像装置を制御するためのプログラムであって、
前記撮像素子により得られた映像信号の各色画素データの高周波成分を抽出し、前記抽出した高周波成分からピーキング情報を生成する処理と、
前記撮像素子により得られた映像信号を現像する処理と、
前記ピーキング情報を、前記現像された映像信号に反映する処理とをコンピュータに実行させるためのプログラム。
【手続補正２】
【補正対象書類名】明細書
【補正対象項目名】０００９
【補正方法】変更
【補正の内容】
【０００９】
本発明の撮像装置は、光学系を介して結像された被写体光学像を、複数の画素データを含む映像信号に変換する撮像素子と、前記撮像素子により得られた映像信号の各色画素データの高周波成分を抽出し、前記抽出した高周波成分からピーキング情報を生成する生成手段と、前記撮像素子により得られた映像信号の画素数を変換する変換手段と、前記ピーキング情報を、前記変換手段により画素数を変換した映像信号に反映する処理手段とを備えることを特徴とする。